【手続補正書】
【提出日】平成22年9月21日(2010.9.21)
【手続補正１】
【補正対象書類名】特許請求の範囲
【補正対象項目名】全文
【補正方法】変更
【補正の内容】
【特許請求の範囲】
【請求項１】
光が入射する入射面を有する光学層と、
上記光学層内に形成された波長選択反射膜と
を備え、
入射角（θ、φ）（但し、θ：上記入射面に対する垂線と、上記入射面に入射する入射光または上記入射面から出射される反射光とのなす角、φ：上記入射面内の特定の直線と、上記入射光または上記反射光を上記入射面に射影した成分とのなす角）で上記入射面に入射した光のうち、特定波長帯の光を（−θ、φ＋１８０°）以外の方向に選択的に指向反射するのに対して、上記特定波長帯以外の光を透過し、所定の空間に取り込むことを可能とする光学体であって、
上記光学体のうち、上記透過光の出射面と上記波長選択反射膜との間に、上記特定波長帯以外の光を散乱させる光散乱体が設けられた光学体。
【請求項２】
上記光散乱体は、有機微粒子、無機微粒子または中空微粒子である請求項１記載の光学体。
【請求項３】
上記光散乱体は、上記透過光の出射面と上記波長選択反射膜との間のうち、上記波長選択反射膜に接して設けられた光拡散層である請求項１記載の光学体。
【請求項４】
光が入射する入射面を有する光学層と、
上記光学層内に形成された波長選択反射膜と
を備え、
入射角（θ、φ）（但し、θ：上記入射面に対する垂線と、上記入射面に入射する入射光または上記入射面から出射される反射光とのなす角、φ：上記入射面内の特定の直線と、上記入射光または上記反射光を上記入射面に射影した成分とのなす角）で上記入射面に入射した光のうち、特定波長帯の光を（−θ、φ＋１８０°）以外の方向に選択的に指向反射するのに対して、上記特定波長帯以外の光を透過し、所定の空間に取り込むことを可能とする光学体であって、
上記光学体のうち、上記透過光の出射面上に、上記特定波長帯以外の光を散乱させる光散乱層が設けられた光学体。
【請求項５】
上記光拡散層は、樹脂と微粒子を含んでいる請求項３または４に記載の光学体。
【請求項６】
上記特定波長帯の光に対する指向反射の方向φが、−９０°以上、９０°以下である請求項１〜５のいずれか１項に記載の光学体。
【請求項７】
上記特定波長帯の光に対する指向反射の方向が、（θ、φ）近傍である請求項１〜５のいずれか１項に記載の光学体。
【請求項８】
上記指向反射する光が、主に波長帯域７８０ｎｍ〜２１００ｎｍの近赤外線である請求項１〜５のいずれか１項に記載の光学体。
【請求項９】
上記波長選択反射膜が、可視光領域において透明性を有する導電性材料を主成分とする透明導電膜、または外部刺激により反射性能が可逆的に変化するクロミック材料を主成分とする機能膜である請求項１〜５のいずれか１項に記載の光学体。
【請求項１０】
上記波長選択反射膜が、上記入射面に対して傾斜した複数の波長選択反射膜からなり、
上記複数の波長選択反射膜が、互いに平行に配置されている請求項１〜５のいずれか１項に記載の光学体。
【請求項１１】
上記波長選択反射膜は、第１の主面および第２の主面を有し、
上記光学層が、上記波長選択反射膜の第１の主面上に形成された第１の光学層と、上記波長選択反射膜の第２の主面上に形成された第２の光学層とを備え、
上記第１の光学層は、上記波長選択反射膜が形成される面に１次元配列または２次元配
列された構造体を有する請求項１〜５のいずれか１項に記載の光学体。
【請求項１２】
上記構造体は、１次元配列されており、
上記構造体は、一方向に延在された柱状体であり、
入射角（θ、φ）（但し、θ：上記入射面に対する垂線と、上記入射面に入射する入射光または上記入射面から出射される反射光とのなす角、φ：上記入射面内において上記柱状体の稜線と直交する直線と、上記入射光または上記反射光を上記入射面に射影した成分とのなす角）で上記入射面に入射した光のうち、特定波長帯の光を選択的に（θｏ、−φ）の方向（０°＜θｏ＜９０°）に指向反射するのに対して、上記特定波長帯以外の光を透過する請求項１１記載の光学体。
【請求項１３】
上記第１の光学層と上記第２の光学層との屈折率差が、０．０１０以下である請求項１１記載の光学体。
【請求項１４】
上記第１の光学層と上記第２の光学層とが、可視光領域において透明性を有する同一樹脂からなり、上記第２の光学層に添加剤が含まれている請求項１１記載の光学体。
【請求項１５】
上記構造体が、プリズム形状、シリンドリカル形状、半球状、またはコーナーキューブ状である請求項１１記載の光学体。
【請求項１６】
上記構造体のピッチが、３０μｍ以上５ｍｍ以下である請求項１１記載の光学体。
【請求項１７】
上記光学層が、可視領域における特定の波長帯の光を吸収する請求項１〜５のいずれか１項に記載の光学体。
【請求項１８】
上記光学体の上記入射面上に、撥水性または親水性を有する層を備える請求項１〜５のいずれか１項に記載の光学体。
【請求項１９】
上記入射面および上記出射面のうち、少なくとも一方にハードコート層を備える請求項１〜５のいずれか１項に記載の光学体。
【請求項２０】
請求項１〜１９のいずれか１項に記載の光学体が貼り合せられた窓材であって、
上記窓材のうち上記所定の空間側の表面に、上記光学体の上記入射面側の表面が貼り合わせられた窓材。
【請求項２１】
請求項１〜１９のいずれか１項に記載の光学体が貼り合せられた窓材であって、
上記窓材のうち上記所定の空間と反対側の表面に、上記光学体の上記出射面側の表面が貼り合わせられた窓材。
【請求項２２】
建築用または車両用の窓材である、請求項２０または２１の窓材。
【請求項２３】
請求項１〜１９のいずれか１項に記載の光学体が貼り合せられたブラインドであって、
上記ブラインドのうち上記所定の空間側の表面に、上記光学体の上記入射面側の表面が貼り合わせられたブラインド。
【請求項２４】
請求項１〜１９のいずれか１項に記載の光学体が貼り合せられたブラインドであって、
上記ブラインドのうち上記所定の空間と反対側の表面に、上記光学体の上記出射面側の表面が貼り合わせられたブラインド。
【請求項２５】
請求項１〜１９のいずれか１項に記載の光学体が貼り合せられたロールカーテンであって、
上記ロールカーテンのうち上記所定の空間側の表面に、上記光学体の上記入射面側の表面が貼り合わせられたロールカーテン。
【請求項２６】
請求項１〜１９のいずれか１項に記載の光学体が貼り合せられたロールカーテンであって、
上記ロールカーテンのうち上記所定の空間と反対側の表面に、上記光学体の上記出射面側の表面が貼り合わせられたロールカーテン。
【請求項２７】
請求項１〜１９のいずれか１項に記載の光学体が貼り合せられた障子であって、
上記障子のうち上記所定の空間側の表面に、上記光学体の上記入射面側の表面が貼り合わせられた障子。
【請求項２８】
請求項１〜１９のいずれか１項に記載の光学体が貼り合せられた障子であって、
上記障子のうち上記所定の空間と反対側の表面に、上記光学体の上記出射面側の表面が貼り合わせられた障子。
【請求項２９】
請求項１〜１９のいずれか１項に記載の光学体自体により構成されたブラインド。
【請求項３０】
請求項１〜１９のいずれか１項に記載の光学体自体により構成されたロールカーテン。
【手続補正２】
【補正対象書類名】明細書
【補正対象項目名】発明の名称
【補正方法】変更
【補正の内容】
【発明の名称】光学体、窓材、ブラインド、ロールカーテン、および障子
【手続補正３】
【補正対象書類名】明細書
【補正対象項目名】０００１
【補正方法】変更
【補正の内容】
【０００１】
本発明は、光学体、窓材、ブラインド、ロールカーテン、および障子に関する。詳しくは、特定波長帯の光を選択的に指向反射するのに対して、上記特定波長帯以外の光を透過する光学体に関する。
【手続補正４】
【補正対象書類名】明細書
【補正対象項目名】０００７
【補正方法】変更
【補正の内容】
【０００７】
したがって、本発明の目的は、特定波長帯の光を選択的に指向反射するのに対して、特定波長帯以外の光を透過することができる光学体、窓材、ブラインド、ロールカーテン、および障子を提供することにある。
【手続補正５】
【補正対象書類名】明細書
【補正対象項目名】０００８
【補正方法】変更
【補正の内容】
【０００８】
上述の課題を解決するために、第１の発明は、
光が入射する入射面を有する光学層と、
光学層内に形成された波長選択反射膜と
を備え、
入射角（θ、φ）（但し、θ：入射面に対する垂線と、入射面に入射する入射光または入射面から出射される反射光とのなす角、φ：入射面内の特定の直線と、入射光または反射光を入射面に射影した成分とのなす角）で入射面に入射した光のうち、特定波長帯の光を（−θ、φ＋１８０°）以外の方向に選択的に指向反射するのに対して、特定波長帯以外の光を透過し、所定の空間に取り込むことを可能とする光学体であって、
光学体のうち、透過光の出射面と波長選択反射膜との間に、特定波長帯以外の光を散乱させる光散乱体が設けられた光学体である。
【手続補正６】
【補正対象書類名】明細書
【補正対象項目名】０００９
【補正方法】変更
【補正の内容】
【０００９】
第２の発明は、
光が入射する入射面を有する光学層と、
光学層内に形成された波長選択反射膜と
を備え、
入射角（θ、φ）（但し、θ：入射面に対する垂線と、入射面に入射する入射光または入射面から出射される反射光とのなす角、φ：入射面内の特定の直線と、入射光または反射光を入射面に射影した成分とのなす角）で入射面に入射した光のうち、特定波長帯の光を（−θ、φ＋１８０°）以外の方向に選択的に指向反射するのに対して、特定波長帯以外の光を透過し、所定の空間に取り込むことを可能とする光学体であって、
光学体のうち、透過光の出射面上に、特定波長帯以外の光を散乱させる光散乱層が設けられた光学体である。